(57)【要約】【課題】  低段の雛壇式陳列台において、簡易な構造でも強靭で安定性がありかつ折畳み自在の商品陳列台を提供する。【解決手段】  基本段部１と下位段部２から成る陳列台において、基本段部の上段面部３および下位段部２の上段面部１４の各左右両側端部に端耳部３’，３’、１４’，１４’を設け、この端耳部は内側方に曲折するとともに両上段面部の内側に配置した断面略冂形に成る補強板２３，２３の前後両側片部２３’，２３’が各のり代部４、１５と各後面部５、１６に当接して成る。上段面部の後端部に設けた後面部の左右両端部に半側面部６，６、１７，１７を設けるとともに切欠部を設け、前記後面部に折曲線を介し設けた底面部７、１８に折曲線を介し設けた前面部８、１９の左右両端部に半側面部１０，１０、２１，２１を設けるとともに切欠部を設け、この前後両面部の左右両半側面部を掛け合うとともに互に内側方向に曲折して立ち合うようにして成る。【選択図】    図２
2009291377.tif 000002
【特許請求の範囲】
【請求項１】
基本段部と下位段部から成る陳列台において、基本段部の上段面部および下位段部の上段面部の各左右両側端部に折曲線を介して端耳部を設け、この端耳部は内側方に曲折するとともに両上段面部の内側に配置した断面略冂形に成る補強板の前後両側片部が各のり代部と各後面部に当接して成ることを特徴とする商品陳列台。
【請求項２】
基本段部と下位段部から成る陳列台において、基本段部の上段面部の後端部に折曲線を介して設けた後面部の左右両端部に折曲線を介して半側面部を設けるとともに切欠部を設け、前記後面部に折曲線を介して設けた底面部に折曲線を介して設けた前面部の左右両端部に折曲線を介して半側面部を設けるとともに切欠部を設け、この前後両面部の左右両半側面部の切欠部を掛け合うとともにこの両半側面部を互に内側方向に曲折して立ち合うようにし、下位段部においても前記基本段部と同様の構成にして成ることを特徴とする商品陳列台。
【請求項３】
基本段部と下位段部から成る陳列台において、基本段部は上段面部に折曲線を介してのり代部を設け、こののり代部は後記前面部の一端部に設ける前立部の内端部分に接着し、前記上段面部の後端部に折曲線を介して後面部を設け、この後面部の左右両端部には折曲線を介して半側面部を設け、前記後面部に折曲線を介して底面部を設け、この底面部に折曲線を介して前面部を設け、この前面部の一端部には折曲線を介して前立部を設け、この前立部の巾長さを前記上段面部ののり代部より高くし、上段面部ののり代部がこの前立部の外端部に接着したとき折曲線に近い部分は上段面部よりやや上方位置に直立し、前記前面部の左右両端部に折曲線を介して半横面部を設け、中央部に折曲線を介して二つ折りした内側部を接着する背面板を設け、この背面板は前記後面部の背後にその折曲線付近の高さ部分を残して上段面部より高く設け、前記底面部と前面部との折曲線上の左右両側部に挿入孔を設け、
下位段部は上段面部に折曲線を介してのり代部を設け、こののり代部は後記前面部の一端部に設けるのり代部は後記前面部の一端部に設ける前立部の内端部分に接着し、前記上段面部の後端部に折曲線を介して後面部を設け、この後面部の左右両端部には折曲線を介して半側面部を設け、前記後面部に折曲部を介して底面部を設け、前記底面部に折曲線を介して前面部を設け、この前面部の一端部には折曲線を介して前立部を設け、この前立部の巾長さは前記上段面部ののり代部より高くし、上段面部ののり代部が前記前面部の前立部の外端部分に接着したとき、折曲線に近い部分を上段面部よりやや上方位置に直立し、前記前面部の左右両端部に折曲線を介して半側面部を設け、前記底面部と後面部との折曲線上の左右両側部に突片を設け、この突片は前記基本段部の底面部と前面部との折曲線上の挿入孔に挿入し得るようにして成る商品陳列台。
【発明の詳細な説明】
【技術分野】
【０００１】
本発明は、雛壇式の商品陳列台に関するものである。
【背景技術】
【０００２】
本発明の発明者は、この種の商品陳列台に関してはすでに特願２００７−２０８２６８号に係る発明を出願しているが、これは各種商品の販売陳列のための構造体が携帯し易く取扱い簡便な陳列体であるところ、商品陳列のための載置台の構造は比較的複雑かつコスト高となっていた。
【０００３】
また、次にあげる公知文献による発明内容も、簡便性の面では課題のあるものである。
【０００４】
【特許文献１】特開２００３−３８３１３号公報
【特許文献２】特開２００４−２４５５８号公報
【特許文献３】特許第３８４２８４５号公報
【発明の開示】
【発明が解決しようとする課題】
【０００５】
そこで、本発明は、比較的低段の雛壇式の商品陳列台において、簡易な構造でも強度が大きく、安定性のある陳列台を提供することを目的とするものである。
【課題を解決するための手段】
【０００６】
本発明は、基本段部と下位段部から成る陳列台において、基本段部の上段面部および下位段部の上段面部の各左右両側端部に折曲線を介して端耳部を設け、この端耳部は内側方に曲折するとともに両上段面部の内側に配置した断面略冂形に成る補強板の前後両側片部が各のり代部と各後面部に当接して成るものである。
【０００７】
本発明はまた、基本段部と下位段部から成る陳列台において、基本段部の上段面部の後端部に折曲線を介して設けた後面部の左右両端部に折曲線を介して半側面部を設けるとともに切欠部を設け、前記後面部に折曲線を介して設けた底面部に折曲線を介して設けた前面部の左右両端部に折曲線を介して半側面部を設けるとともに切欠部を設け、この前後両面部の左右両半側面部の切欠部を掛け合うとともにこの両半側面部を互に内側方向に曲折して立ち合うようにし、下位段部においても前記基本段部と同様の構成にして成るものである。
【発明の効果】
【０００８】
第１に、基本段部と下位段部の各上段面部の左右両端耳部は、内側方に曲折するとともに両上段面部の内側に配置した補強板の前後両側片部が各のり代部と各後面部に当接することによって、各上段面部の強度が確実になり安定性を増大し、陳列商品を受け止める強度を十分発揮することができる。
【０００９】
第２に、基本段部と下位段部の各上段面部の後端部に続く後面部の左右両端部には半側面部を折曲可能に設け、また後面部に続く底面部に続く前面部の左右両端部には半側面部を折曲可能に設け、各段部の左右の両半側面部の切欠部を互に掛け合うとともにこの両側部の両半側面部は互いにいずれも基本段部と下位段部の内側方向に約４５°曲折しているから、陳列商品を受け止める強度を発揮し安定的に支持することができる。
【００１０】
第３に、基本段部と下位段部とは挿入孔への突片の差し込みと接着とによって相互の連結力を保持をすることができる。
【００１１】
第４に、全体として比較的低段位の陳列台であっても、十分な強度を保持することができる安全性のある厚紙構成の陳列台となる。
【００１２】
第５に、全体が複数段位に構成される陳列台でも、その全体を容易に折り畳んだ扁平状態に変形して梱包することができるから、その携帯持参が容易になり、またその組立ても迅速かつ容易にできるようになる。
【発明を実施するための最良の形態】
【００１３】
基本段部と下位段部から成る複数段部の陳列台において、基本段部と下位段部とはそれぞれ次のような構成形態から成る。
【００１４】
基本段部は上段面部に連続して折曲線を介してのり代部を設け、こののり代部は後記前面部の一端部に設ける前立部の内端部分に接着し、前記上段面部の後端部に連続して折曲線を介して後面部を設け、この後面部の左右両端部には折曲線を介して半側面部を設け、前記後面部に連続して折曲線を介して底面部を設け、この底面部に連続して折曲線を介して前面部を設け、この前面部の一端部には折曲線を介して前立部を設け、この前立部の巾長さを前記上段面部ののり代部より高くし、上段面部ののり代部がこの前立部の外端部に接着したとき折曲線に近い部分は上段面部よりやや上方位置に直立し、前記前面部の左右両端部に折曲線を介して半側面部を設け、中央部に折曲線を介して二つ折りした内側部を接着する背面板を設け、この背面板は前記後面部の背後にその折曲線付近の高さ部分を残して上段面部より高く設け、前記底面部と前面部との折曲線上の左右両側部に挿入孔を設ける。
【００１５】
下位段部は上段面部に連続して折曲線を介してのり代部を設け、こののり代部は後記前面部の一端部に設けるのり代部は後記前面部の一端部に設ける前立部の内端部分に接着し、前記上段面部の後端部に連続して折曲線を介して後面部を設け、この後面部の左右両端部には折曲線を介して半側面部を設け、前記後面部に連続して折曲部を介して底面部を設け、前記底面部に連続して折曲線を介して前面部を設け、この前面部の一端部には折曲線を介して前立部を設け、この前立部の巾長さは前記上段面部ののり代部より高くし、上段面部ののり代部が前記前面部の前立部の外端部分に接着したとき、折曲線に近い部分を上段面部よりやや上方位置に直立し、前記前面部の左右両端部に折曲線を介して半側面部を設け、前記底面部と後面部との折曲線上の左右両側部に突片を設け、この突片は前記基本段部の底面部と前面部との折曲線上の挿入孔に挿入し得るようにする。
【実施例】
【００１６】
本陳列台の全体は基本段部１および下位段部２から成り、いずれも厚質紙材によって構成されている。
【００１７】
このうち、基本段部１の展開図は図１の上位置に、下位段部２の展開図は図２の下位置に描示している。
【００１８】
まず基本段部１の構成について説明する。
【００１９】
３は基本段部１の上段面部で、この上段面部の左右両端部には折曲線を介して端耳部３’，３’を設けるが、この端耳部は内方向に曲折されるとともに後記補強板２３の前後両側片部２３’，２３’がその下側面部を抱き込むように曲折して接着するように成る。（図３・図６参照）
【００２０】
４は前記上段面部３に連続して折曲線を介して設けるのり代部で、こののり代部は後記前面部８の一端部に設ける前立部９の内端部分に接着するように成る。
【００２１】
５は前記上段面部３の後端部に連続して折曲線を介して設ける後面部で、この後面部の左右両端部には折曲線を介して半側面部６，６を設け、この半側面部の端部には切欠部を設ける。
【００２２】
７は前記後面部５に連続して折曲部を介して設ける底面部で、この底面部の左右両端部は切断されている。
【００２３】
８は前記底面部７に連続して折曲線を介して設ける前面部で、この前面部の一端部には折曲線を介して前立部９を設ける。
【００２４】
この前立部９の高さ巾は、前記上段面部３ののり代部４の約２倍位の高さに成る。
【００２５】
したがって、前記上段面部３ののり代部４がこの前面部８の前立部９の外端部分に接着したとき、前立部の折曲線に近い部分９’は上段面部よりやや上方位置に直立するように成る。
【００２６】
１０，１０は前記前面部８の左右両端部に折曲線を介して設けた半側面部で、この半側面部の端部には切欠部を設ける。この切欠部は前記後面部５の半側面部６，６の切欠部と掛け合うから、この左右両半側面部６，１０、６，１０は内側方向に互に約４５°曲折し合った状態に立つように成る。
【００２７】
１１は中央部に折曲線を介して二つ折りした内側部を接着する背面板で、この背面板は前記後面部５の背後面にその折曲線付近の高さ部分１２を残して前記上段面部３より高く立設する。
【００２８】
１３，１３は前記底面部７と前面部８との折曲線上の左右両側部に設ける挿入孔で、この挿入孔には後記下位段部２の底面部１８と後面部１６との折曲線上の左右両側部に設ける突片２２，２２が挿入する。
【００２９】
次に、下位段部２の構成について説明する。この下位段部の段数は、図示するように１個のみならず、２個以上でもよく、それは同じ構成となる。
【００３０】
１４は下位段部２の上段面部で、この上段面部の左右両端部には折曲線を介して端耳部１４’，１４’を設けるが、この端耳部は内方向に曲折されるとともに後記補強板２３の前後両側片部２３’，２３’が端耳部１４’，１４’の下側面部を抱き込むように曲折して接着するように成る。（図３・図６参照）
【００３１】
１５は前記上段面部１４に連続して折曲線を介して設けるのり代部で、こののり代部は後記前面部１９の一端部に設ける前立部２０の内端部分に接着するように成る。
【００３２】
１６は前記上段面部１４の後端部に連続して折曲線を介して設ける後面部で、この後面部の左右両端部には折曲線を介して半側面部１７，１７を設け、この半側面部の端部には切欠部を設ける。
【００３３】
１８は前記後面部１６に連続して折曲部を介して設ける底面部で、この底面部の左右両端部は切断されている。
【００３４】
１９は前記底面部１８に連続して折曲線を介して設ける前面部で、この前面部の一端部には折曲線を介して前立部２０を設ける。
【００３５】
この前立部２０の高さ巾は、前記上段面部１４ののり代部１５の約２倍位の高さに成る。したがって、前記上段面部１４ののり代部１５が前記前面部１９の前立部２０の外端部分に接着したとき、前立部の折曲線に近い部分２０’は上段面部よりやや上方位置に直立する。
【００３６】
２１，２１は前記前面部１９の左右両端部に折曲線を介して設けた半側面部で、この半側面部の端部には切欠部を設け、この切欠部は前記後面部１６の半側面部１７，１７と掛け合うから、この左右両半側面部１６，２１、１６，２１は内側方向に互に約４５°曲折し合った状態に立つように成る。
【００３７】
２２，２２は前記底面部１８と後面部１６との折曲線上の左右両側部に設ける突片で、この突片は前記基本段部１の底面部と前面部との折曲線上の挿入孔１３，１３に挿入して連結する。
【００３８】
２３，２３は断面略冂形に成る補強板で、この補強板の前後両側部には折曲線を介して側片部２３’，２３’を設ける。
【００３９】
この補強板２３，２３は、前記基本段部１の上段面部３および下位段部２の上段面部の各内側面に重ね合わせて置く。
【図面の簡単な説明】
【００４０】
【図１】全体を構成する各部分の展開図
【図２】各段部の組立て斜視図
【図３】両段部の組立中の斜視図
【図４】両段部の連結状態を示す斜視図
【図５】要部の斜視図
【図６】図３Ａ−Ａ線の拡大断面図
【図７】全体の折畳み時の斜視図
【符号の説明】
【００４１】
１                    基本段部
２                    下位段部
３                    上段面部
３’，３’            端耳部
４                    のり代部
５                    後面部
６，６                半側面部
７                    底面部
８                    前面部
９                    前立部
９’                  前立部の折曲線に近い部分
１０，１０            半側面部
１１                  背面板
１２                  折曲線付近の高さ部分
１３，１３            挿入孔
１４                  上段面部
１４’，１４’        端耳部
１５                  のり代部
１６                  後面部
１７，１７            半側面部
１８                  底面部
１９                  前面部
２０                  前立部
２０’                前立部の折曲線に近い部分
２１，２１            半側面部
２２，２２            突片
２３，２３            補強板
２３’，２３’        側片部
【図１】
2009291377.tif 000003
【図２】
2009291377.tif 000004
【図３】
2009291377.tif 000005
【図４】
2009291377.tif 000006
【図５】
2009291377.tif 000007
【図６】
2009291377.tif 000008
【図７】
2009291377.tif 000009